(57)【要約】  【課題】他車両の位置の確認を容易に行うこととのできる端末装置を提供すること。  【解決手段】各車両の位置情報等を管理する管理機関に設置される位置情報等提供装置１１に対し、ＧＰＳ受信手段３から得られる自車両Ｍの位置情報を送信する送信手段と、位置情報等提供装置１１から送信されてくる他車両Ｐの情報に含まれている他車両Ｐの位置情報に基づいて、他車両Ｐの位置を告知する告知手段とを備えた、自車両Ｍに搭載される端末装置１において、位置情報等提供装置１１から送信されてくる他車両Ｐの情報に基づいて、他車両Ｐの位置の告知重要度を求め、求めた告知重要度に基づいて、他車両Ｐの位置告知の差別化を図る手段を装備すること。  【選択図】  図１
2005147777.tif 000002
【特許請求の範囲】
【請求項１】
各移動体の位置情報等を管理する管理機関に対し、位置情報検出手段から得られる自移
動体の位置情報を送信する位置情報送信手段と、
前記管理機関から送信されてくる他移動体の情報（以降、他移動体情報とも記す）に含
まれている前記他移動体の位置情報に基づいて、前記他移動体の位置を告知する告知手段
とを備えた端末装置において、
前記管理機関から送信されてくる他移動体情報に基づいて、前記他移動体の位置の告知
重要度を求める告知重要度算出手段と、
該告知重要度算出手段により求められた告知重要度に基づいて、告知形態を決定する告
知形態決定手段とを備え、
該告知形態決定手段により決定された告知形態によって告知の差別化を図るように構成
されていることを特徴とする端末装置。
【請求項２】
前記告知重要度算出手段は、前記自移動体の情報と前記管理機関から送信されてくる他
移動体情報とに基づいて、前記自移動体と前記他移動体との関連性を求める関連性算出手
段を含んで構成され、前記自移動体と前記他移動体との関連性に基づいて、前記告知重要
度を求めるものであることを特徴とする請求項１記載の端末装置。
【請求項３】
前記自移動体に設定されているキーワード情報を記憶するキーワード情報記憶手段を備
えると共に、
前記管理機関から送信されてくる他移動体情報に、前記他移動体に設定されているキー
ワード情報が含まれており、
前記関連性算出手段が、前記自移動体に設定されているキーワード情報と、前記他移動
体に設定されているキーワード情報とに基づいて、前記自移動体と前記他移動体との関連
性を求めるものであることを特徴とする請求項２記載の端末装置。
【請求項４】
前記自移動体の属するグループ情報を記憶するグループ情報記憶手段を備えると共に、
前記管理機関から送信されてくる他移動体情報に、前記他移動体の属するグループ情報
が含まれており、
前記関連性算出手段が、前記グループ情報記憶手段に記憶されている前記自移動体の属
するグループ情報と、前記他移動体情報に含まれている前記他移動体の属するグループ情
報とに基づいて、前記自移動体と前記他移動体との関連性を求めるものであることを特徴
とする請求項２記載の端末装置。
【請求項５】
前記他移動体情報に含まれている前記他移動体の位置情報と、所定の地点の位置情報と
に基づいて、前記他移動体の位置と前記所定の地点との位置的関係を求める位置的関係算
出手段を備え、
前記告知重要度算出手段が、前記位置的関係算出手段により求められる前記他移動体の
位置と前記所定の地点との位置的関係に基づいて、前記告知重要度を求めるものであるこ
とを特徴とする請求項１記載の端末装置。
【請求項６】
前記管理機関から送信されてくる他移動体情報に、前記他移動体の位置情報における更
新時刻に関する情報が含まれており、
前記告知重要度算出手段が、前記他移動体情報に含まれている前記更新時刻に関する情
報に基づいて、前記告知重要度を求めるものであることを特徴とする請求項１記載の端末
装置。
【請求項７】
前記告知手段が、前記告知重要度算出手段により求められる告知重要度と、前記他移動
体の特性とに基づいて、前記告知の差別化を図るものであることを特徴とする請求項１〜
６のいずれかの項に記載の端末装置。
【請求項８】
各移動体の位置情報等を管理する管理機関に対し、位置情報検出手段から得られる自移
動体の位置情報を送信する位置情報送信手段と、
前記管理機関から送信されてくる他移動体の情報（以降、他移動体情報とも記す）に含
まれている前記他移動体の位置情報に基づいて、前記他移動体の位置を告知する告知手段
とを備えた、前記自移動体に搭載される端末装置において、
前記管理機関から送信されてくる他移動体情報に、前記他移動体の位置情報における更
新時刻に関する情報が含まれており、
前記他移動体情報に含まれている前記他移動体の位置情報、及び前記更新時刻に関する
情報に基づいて、前記他移動体の現時点における位置を推測する位置推測手段を備え、
前記告知手段が、前記位置推測手段による推測結果に基づいて、前記告知を行うもので
あることを特徴とする端末装置。
【請求項９】
前記告知手段が、所定の位置周辺の地図情報に基づいて、前記他移動体の位置が示され
た前記所定の位置周辺の地図を表示することによって、前記告知を行うものであることを
特徴とする請求項１〜８のいずれかの項に記載の端末装置。
【請求項１０】
前記告知手段が、前記管理機関から送信されてくる前記所定の位置周辺の地図情報に基
づいて、前記他移動体の位置が示された前記所定の位置周辺の地図を表示することによっ
て、前記告知を行うものであることを特徴とする請求項９記載の端末装置。
【請求項１１】
前記所定の位置が前記自移動体の位置、該自移動体の目的地、及び前記他移動体の位置
のいずれかであることを特徴とする請求項９又は請求項１０記載の端末装置。
【請求項１２】
前記告知手段が、前記他移動体と、前記自移動体及び／又は該自移動体の目的地との位
置関係を示すことによって、前記告知を行うものであることを特徴とする請求項１〜８の
いずれかの項に記載の端末装置。
【請求項１３】
各移動体の情報を記憶する移動体情報記憶手段と、
ある移動体に対し、前記移動体情報記憶手段に記憶されている他移動体の情報（以降、
他移動体情報とも記す）のうち、少なくとも前記他移動体の位置情報を送信する位置情報
等送信手段とを備えた位置情報等提供装置において、
前記移動体に対し、所定の位置周辺の地図情報を送信する地図情報送信手段を備えてい
ることを特徴とする位置情報等提供装置。
【請求項１４】
各移動体の情報を記憶する移動体情報記憶手段と、
ある移動体に対し、前記移動体情報記憶手段に記憶されている他移動体の情報（以降、
他移動体情報とも記す）のうち、少なくとも前記他移動体の位置情報を送信する位置情報
等送信手段とを備えた位置情報等提供装置において、
前記移動体情報記憶手段に記憶されている他移動体情報に基づいて、他移動体情報の送
信重要度を求める送信重要度算出手段を備え、
前記位置情報等送信手段が、前記送信重要度算出手段により求められた送信重要度に基
づいて、前記送信の差別化を図るものであることを特徴とする位置情報等提供装置。
【請求項１５】
情報の送信対象である移動体（以降、送信対象移動体とも記す）の情報と前記他移動体
情報とに基づいて、送信対象移動体と前記他移動体との関連性を求める関連性算出手段を
備え、
前記位置情報等送信手段が、前記関連性算出手段により求められる前記送信対象移動体
と前記他移動体との関連性に基づいて、前記送信重要度を求めるものであることを特徴と
する請求項１４記載の位置情報等提供装置。
【請求項１６】
前記移動体情報記憶手段には、各移動体に設定されているキーワード情報が記憶されて
おり、
前記関連性算出手段が、前記送信対象移動体に設定されているキーワード情報と、前記
他移動体に設定されているキーワード情報とに基づいて、前記送信対象移動体と前記他移
動体との関連性を求めるものであることを特徴とする請求項１５記載の位置情報等提供装
置。
【請求項１７】
前記移動体情報記憶手段には、各移動体の属するグループ情報が記憶されており、
前記関連性算出手段が、前記送信対象移動体の属するグループ情報と、前記他移動体の
属するグループ情報とに基づいて、前記送信対象移動体と前記他移動体との関連性を求め
るものであることを特徴とする請求項１５記載の位置情報等提供装置。
【請求項１８】
前記他移動体の位置情報と、所定の地点の位置情報とに基づいて、前記他移動体の位置
と前記所定の地点との位置的関係を求める位置的関係算出手段を備え、
前記送信重要度算出手段が、前記位置的関係算出手段により求められる前記他移動体の
位置と前記所定の地点との位置的関係に基づいて、前記送信重要度を求めるものであるこ
とを特徴とする請求項１４記載の位置情報等提供装置。
【請求項１９】
前記移動体情報記憶手段には、各移動体の位置情報における更新時刻に関する情報が記
憶されており、
前記送信重要度算出手段が、前記他移動体情報に含まれている前記更新時刻に関する情
報に基づいて、前記送信重要度を求めるものであることを特徴とする請求項１４記載の位
置情報等提供装置。
【請求項２０】
前記送信対象移動体に対し、所定の位置周辺の地図情報を送信する地図情報送信手段を
備えていることを特徴とする請求項１４〜１９のいずれかの項に記載の位置情報等提供装
置。
【請求項２１】
前記所定の位置が、前記送信対象移動体の位置、該送信対象移動体の目的地、及び前記
他移動体の位置のいずれかであることを特徴とする請求項２０記載の位置情報等提供装置
。
【発明の詳細な説明】
【技術分野】
【０００１】
本発明は端末装置、及び位置情報等提供装置に関し、より詳細には、他移動体（例えば
、他車両）の位置を確認するための端末装置、及び前記他移動体の位置情報などを提供す
るための位置情報等提供装置に関する。
【背景技術】
【０００２】
ナビゲーション機能を有した車載機器は、人工衛星から得られるＧＰＳ情報や、車速セ
ンサから得られる車速情報、記憶媒体に記憶されている地図情報などを用いて、自車両の
位置が示された地図を表示したり、目的地までの経路が示された地図を表示して、自車両
を目的地まで案内するようになっている。
【０００３】
また最近では、自車両に搭載されている車載機器に他車両の位置を表示させることによ
って、前記自車両で前記他車両の位置を確認することができるようにした発明が幾つか提
案されている。例えば、下記の特許文献１、２には、管理センターで複数の車両の車両位
置情報を記憶させ、各車両へ前記車両位置情報を配信させ、前記各車両で他車両の位置が
示された地図を表示させるといった技術が開示されている。
また、下記の特許文献３〜５には、車両間における相互通信を可能として、各車両間で
車両位置情報をやり取りさせ、前記各車両で他車両の位置が示された地図を表示させると
いった技術が開示されている。
【０００４】
ところで、際限なく他車両の位置を地図上に表示すると、地図が他車両の位置を示した
マークで埋め尽くされ、他車両の位置の確認が難しくなるだけでなく、地図それ自体も見
えにくくなるいった問題がある。また、際限なく車両の位置情報の配信を行うと、通信デ
ータ量が多くなりすぎるといった問題もある。
【０００５】
また、他車両の位置が示された地図を表示する主たる目的は、ドライブ中に仲間同士の
位置を確認し合ったり、巡回パトロールを効率良く行うためであって、自車両以外の全て
の車両の位置を確認することではない。従って、自車両と他車両との関係性を把握するこ
とも大切である。
【特許文献１】特開平６−３６１９４号公報
【特許文献２】特開２０００−３５７２９６号公報
【特許文献３】特開平６−２８２７９５号公報
【特許文献４】特開平８−５３９４号公報
【特許文献５】特開平１０−１８５５９５号公報
【発明の開示】
【課題を解決するための手段及びその効果】
【０００６】
本発明は上記課題に鑑みなされたものであって、他車両の位置の確認を容易に行うこと
とのできる端末装置、及び通信データ量を低減することのできる位置情報等提供装置を提
供することを目的としている。
【０００７】
上記目的を達成するために本発明に係る端末装置（１）は、各移動体の位置情報等を管
理する管理機関に対し、位置情報検出手段から得られる自移動体の位置情報を送信する位
置情報送信手段と、前記管理機関から送信されてくる他移動体の情報に含まれている前記
他移動体の位置情報に基づいて、前記他移動体の位置を告知する告知手段とを備えた端末
装置において、前記管理機関から送信されてくる他移動体情報に基づいて、前記他移動体
の位置の告知重要度を求める告知重要度算出手段と、該告知重要度算出手段により求めら
れた告知重要度に基づいて、告知形態を決定する告知形態決定手段とを備え、該告知形態
決定手段により決定された告知形態によって告知の差別化を図るように構成されているこ
とを特徴としている。
【０００８】
上記端末装置（１）によれば、前記管理機関から送信されてくる他移動体情報に基づい
て、前記他移動体の位置の告知重要度が求められ、そして、求められた該告知重要度に基
づいて、告知形態が決定され、決定された該告知形態に基づいて、前記他移動体の位置の
告知の差別化が図られる。例えば、前記告知重要度の高いもの（又は告知の必要の有るも
の）については、地図上に表示するなどして前記自移動体の乗員へ知らせ（告知形態を地
図上に表示することに決定）、他方、前記告知重要度の低いもの（又は告知の必要の無い
もの）については、地図上に表示しないようにできる（告知形態を地図上に表示しないこ
とに決定）。
【０００９】
これにより、地図が前記他移動体の位置を示したマークで埋め尽くされないようにする
ことができるので、前記他移動体の位置の確認が難しくなったり、地図それ自体が見えに
くくなるのを防止することができる。また、前記自移動体の乗員へ知らせるべきもの（例
えば、仲間の運転する車両の位置）だけを地図上に表示することができるので、前記乗員
は必要なものだけを確実に確認することができる。
【００１０】
また、前記告知重要度のレベルを複数（例えば、３段階）に分けて、最も重要度の高い
レベルのものについては赤色で表示し（告知形態を赤色表示に決定する）、２番目に重要
度の高いレベルのものについては黄色で表示し（告知形態を黄色表示に決定）、最も重要
度の低いレベルのものについては青色で表示する、又は表示しない（告知形態を青色表示
、又は表示しないに決定）ようにしても良い。これにより、前記自移動体の乗員は重要度
の高いものと、低いものとを容易に判別することができる。
【００１１】
また、本発明に係る端末装置（２）は、上記端末装置（１）において、前記告知重要度
算出手段は、前記自移動体の情報と前記管理機関から送信されてくる他移動体情報とに基
づいて、前記自移動体と前記他移動体との関連性を求める関連性算出手段を含んで構成さ
れ、前記自移動体と前記他移動体との関連性に基づいて、前記告知重要度を求めるもので
あることを特徴としている。
【００１２】
上記端末装置（２）によれば、前記自移動体と前記他移動体との関連性が求められ、こ
の関連性（例えば、前記他移動体が仲間の運転する車両であるか否かといったこと）に基
づいて、前記告知重要度が求められる。従って、前記告知の差別化を前記関連性に基づい
て行うことができるので、例えば、仲間の運転する移動体の位置だけを地図上に表示する
ようにできる。
【００１３】
また、本発明に係る端末装置（３）は、上記端末装置（２）において、前記自移動体に
設定されているキーワード情報を記憶するキーワード情報記憶手段を備えると共に、前記
管理機関から送信されてくる他移動体情報に、前記他移動体に設定されているキーワード
情報が含まれており、前記関連性算出手段が、前記自移動体に設定されているキーワード
情報と、前記他移動体に設定されているキーワード情報とに基づいて、前記自移動体と前
記他移動体との関連性を求めるものであることを特徴としている。
【００１４】
上記端末装置（３）によれば、前記自移動体に設定されているキーワード情報と、前記
他移動体に設定されているキーワード情報とに基づいて、前記自移動体と前記他移動体と
の関連性が求められ、この関連性に基づいて、前記告知重要度が求められる。
【００１５】
例えば、前記他移動体に設定されているキーワードと、前記自移動体に設定されている
キーワードとが一致する場合、前記告知重要度は高い（又は告知の必要性有り）と判定さ
れて、前記他移動体の位置は地図に表示され、他方、前記他移動体に設定されているキー
ワードと、前記自移動体に設定されているキーワードとが一致しない場合、前記告知重要
度は低い（又は告知の必要性無し）と判定されて、前記他移動体の位置は地図に表示され
ないこととなる。これにより、前記自移動体と同じキーワードが設定されている他移動体
（すなわち、前記自移動体との関連性が深い他移動体）の位置だけを地図上に表示するよ
うにできる。
【００１６】
また、各移動体に複数のキーワードが設定されていて、前記他移動体に設定されている
キーワードが、前記自移動体に設定されているキーワードと２つ以上一致する場合、前記
告知重要度は最も高いレベルと判定されて、前記他移動体の位置は地図に赤色で表示され
、前記他移動体に設定されているキーワードが、前記自移動体に設定されているキーワー
ドと１つだけ一致する場合、前記告知重要度は２番目に高いレベルと判定されて、前記他
移動体の位置は黄色で表示され、前記他移動体に設定されているキーワードが、前記自移
動体に設定されているキーワードと１つも一致しない場合、前記告知重要度は最も低いレ
ベルと判定されて、前記他移動体の位置は青色で表示される（又は表示されない）ことと
なる。
【００１７】
また、本発明に係る端末装置（４）は、上記端末装置（２）において、前記自移動体の
属するグループ情報を記憶するグループ情報記憶手段を備えると共に、前記管理機関から
送信されてくる他移動体情報に、前記他移動体の属するグループ情報が含まれており、前
記関連性算出手段が、前記グループ情報記憶手段に記憶されている前記自移動体の属する
グループ情報と、前記他移動体情報に含まれている前記他移動体の属するグループ情報と
に基づいて、前記自移動体と前記他移動体との関連性を求めるものであることを特徴とし
ている。
【００１８】
上記端末装置（４）によれば、前記自移動体の属するグループ情報と、前記他移動体の
属するグループ情報とに基づいて、前記自移動体と前記他移動体との関連性が求められ、
この関連性に基づいて、前記告知重要度が求められる。
【００１９】
例えば、前記他移動体の属するグループと、前記自移動体の属するグループとが一致す
る場合、前記告知重要度は高い（又は告知の必要性有り）と判定されて、前記他移動体の
位置は地図に表示され、他方、前記他移動体の属するグループと、前記自移動体の属する
グループとが一致しない場合、前記告知重要度は低い（又は告知の必要性無し）と判定さ
れて、前記他移動体の位置は地図に表示されないこととなる。これにより、前記自移動体
と同じグループに属する他移動体（すなわち、前記自移動体との関連性が深い他移動体）
の位置だけを地図上に表示するようにできる。
【００２０】
また、各移動体が複数のグループに属していて、前記他移動体の属するグループが、前
記自移動体の属するグループと２つ以上一致する場合、前記告知重要度は最も高いレベル
と判定されて、前記他移動体の位置は地図に赤色で表示され、前記他移動体の属するグル
ープが、前記自移動体の属するグループと１つだけ一致する場合、前記告知重要度は２番
目に高いレベルと判定されて、前記他移動体の位置は黄色で表示され、前記他移動体の属
するグループが、前記自移動体の属するグループと１つも一致しない場合、前記告知重要
度は最も低いレベルと判定されて、前記他移動体の位置は青色で表示される（又は表示さ
れない）こととなる。
【００２１】
また、本発明に係る端末装置（５）は、上記端末装置（１）において、前記他移動体情
報に含まれている前記他移動体の位置情報と、所定の地点の位置情報とに基づいて、前記
他移動体の位置と前記所定の地点との位置的関係を求める位置的関係算出手段を備え、前
記告知重要度算出手段が、前記位置的関係算出手段により求められる前記他移動体の位置
と前記所定の地点との位置的関係に基づいて、前記告知重要度を求めるものであることを
特徴としている。
【００２２】
上記端末装置（５）によれば、前記他移動体の位置と前記所定の地点（例えば、前記自
移動体の位置や、該自移動体の目的地）との位置的関係（例えば、前記自移動体との距離
が短いか否かといったこと）が求められ、この位置的関係に基づいて、前記告知重要度が
求められる。従って、前記告知の差別化を前記位置的関係に基づいて行うことができるの
で、例えば、近くを走行中の移動体の位置だけを地図上に表示するようにできる。
【００２３】
また、本発明に係る端末装置（６）は、上記端末装置（１）において、前記管理機関か
ら送信されてくる他移動体情報に、前記他移動体の位置情報における更新時刻に関する情
報が含まれており、前記告知重要度算出手段が、前記他移動体情報に含まれている前記更
新時刻に関する情報に基づいて、前記告知重要度を求めるものであることを特徴としてい
る。
【００２４】
上記端末装置（６）によれば、前記他移動体の位置情報における更新時刻に関する情報
に基づいて、前記告知重要度が求められる。従って、前記告知の差別化を前記他移動体の
位置情報における更新時刻に関する情報に基づいて行うことができる。
【００２５】
例えば、他移動体ａの最新の位置情報における更新時刻が10時51分で、他移動体ｂの最
新の位置情報における更新時刻が10時38分で、現在時刻が10時55分である場合、他移動体
ａの最新の位置情報は４分前の情報なので、前記告知重要度は高い（又は告知の必要性有
り）と判定されて、他移動体ａの位置は地図に表示され、他方、他移動体ｂの最新の位置
情報は１７分前の情報なので、前記告知重要度は低い（又は告知の必要性無し）と判定さ
れて、他移動体ｂの位置は地図に表示されないこととなる。これにより、現在位置と大き
なズレが生じている可能性の高い他移動体の位置を地図上に表示しないようにできる。
【００２６】
また、本発明に係る端末装置（７）は、上記端末装置（１）〜（６）のいずれかにおい
て、前記告知手段が、前記告知重要度算出手段により求められる告知重要度と、前記他移
動体の特性とに基づいて、前記告知の差別化を図るものであることを特徴としている。
【００２７】
上記端末装置（７）によれば、前記告知重要度だけでなく、前記他移動体の特性（例え
ば、キーコードの種別や、グループの種別）に基づいて、前記告知の差別化が図られる。
例えば、前記他移動体に設定されているキーコードの種別に応じて、前記他移動体の位置
の表示色が変更されたり、前記他移動体の属するグループの種別に応じて、前記他移動体
の位置の表示色が変更されることとなる。これにより、地図上に表示されている前記他移
動体に設定されているキーコードや、前記他移動体の属するグループを容易に把握するこ
とができるようになる。
【００２８】
また、本発明に係る端末装置（８）は、各移動体の位置情報等を管理する管理機関に対
し、位置情報検出手段から得られる自移動体の位置情報を送信する位置情報送信手段と、
前記管理機関から送信されてくる他移動体の情報に含まれている前記他移動体の位置情報
に基づいて、前記他移動体の位置を告知する告知手段とを備えた、前記自移動体に搭載さ
れる端末装置において、前記管理機関から送信されてくる他移動体情報に、前記他移動体
の位置情報における更新時刻に関する情報が含まれており、前記他移動体情報に含まれて
いる前記他移動体の位置情報、及び前記更新時刻に関する情報に基づいて、前記他移動体
の現時点における位置を推測する位置推測手段を備え、前記告知手段が、前記位置推測手
段による推測結果に基づいて、前記告知を行うものであることを特徴としている。
【００２９】
上記端末装置（８）によれば、前記他移動体情報に含まれる前記他移動体の位置情報、
及び前記更新時刻に関する情報に基づいて、前記他移動体の現時点における位置が推測さ
れ、推測された結果に基づいて、前記他移動体の位置の告知が行われる。これにより、前
記管理機関から頻繁に前記他移動体情報を受信しなくても、前記他移動体の位置をある程
度正確に知らせることができるので、前記管理機関への情報の要求回数や、総通信データ
量を少なくすることができる。
【００３０】
また、本発明に係る端末装置（９）は、上記端末装置（１）〜（８）のいずれかにおい
て、前記告知手段が、所定の位置周辺の地図情報に基づいて、前記他移動体の位置が示さ
れた前記所定の位置周辺の地図を表示することによって、前記告知を行うものであること
を特徴としている。
【００３１】
前記他移動体の位置を告知する方法としては、例えば、前記自移動体を基準にしてどの
方向へどのくらいの距離にいるのかといったことを知らせたり、単に緯度経度や、どの町
に存在するのかといったことを知らせる方法などが挙げられるが、上記端末装置（９）に
よれば、前記他移動体の位置が示された前記所定の位置（例えば、前記自移動体の位置）
周辺の地図を表示することによって、前記告知が行われる。従って、非常に分かり易く、
前記他移動体の位置を前記自移動体の乗員へ知らせることができる。
【００３２】
また、本発明に係る端末装置（１０）は、上記端末装置（９）において、前記告知手段
が、前記管理機関から送信されてくる前記所定の位置周辺の地図情報に基づいて、前記他
移動体の位置が示された前記所定の位置周辺の地図を表示することによって、前記告知を
行うものであることを特徴としている。
【００３３】
ところで、上記端末装置（９）のように、前記他移動体の位置が示された前記所定の位
置周辺の地図を表示するには、当然のことではあるが、前記所定の位置周辺の地図情報が
必要となる。上記端末装置（１０）によれば、前記管理機関から送信されてくる前記所定
の位置周辺の地図情報を用いて、前記地図の表示が行われるので、前記自移動体に地図情
報が記憶された記憶装置などを搭載しておかなくても良いようにすることができる。
【００３４】
また、本発明に係る端末装置（１１）は、上記端末装置（９）又は（１０）において、
前記所定の位置が前記自移動体の位置、該自移動体の目的地、及び前記他移動体の位置の
いずれかであることを特徴としている。
【００３５】
上記端末装置（１１）によれば、前記他移動体の位置が示された前記自移動体の位置周
辺の地図、前記自移動体の目的地周辺の地図、及び前記他移動体の位置周辺の地図のいず
れかが表示される。これにより、前記自移動体や前記目的地近くに存在する前記他移動体
を把握したり、該他移動体の存在する周辺の地理状況を把握することができる。
【００３６】
また、本発明に係る端末装置（１２）は、上記端末装置（１）〜（８）のいずれかにお
いて、前記告知手段が、前記他移動体と、前記自移動体及び／又は該自移動体の目的地と
の位置関係を示すことによって、前記告知を行うものであることを特徴としている。
【００３７】
上記端末装置（１２）によれば、例えば、図１７に示したように、前記他移動体と、前
記自移動体及び／又は該自移動体の目的地との位置関係を示すことによって前記告知が行
われる。従って、地図情報を用いなくても、前記他移動体の位置を前記自移動体の乗員へ
知らせることができる。
【００３８】
また、本発明に係る位置情報等提供装置（１）は、各移動体の情報を記憶する移動体情
報記憶手段と、ある移動体に対し、前記移動体情報記憶手段に記憶されている他移動体の
情報のうち、少なくとも前記他移動体の位置情報を送信する位置情報等送信手段とを備え
た位置情報等提供装置において、前記移動体に対し、所定の位置周辺の地図情報を送信す
る地図情報送信手段を備えていることを特徴としている。
【００３９】
上記位置情報等提供装置（１）によれば、前記移動体に対し、前記他移動体の位置情報
だけでなく、前記所定の位置（例えば、前記移動体の位置や、該移動体の目的地、前記他
移動体の位置）周辺の地図情報が送信される。従って、前記移動体に地図情報が記憶され
た記憶装置などが搭載されていなくても、前記移動体で前記他移動体の位置が示された前
記所定の位置周辺の地図を表示することによって、前記他移動体の位置を告知することが
可能となる。
【００４０】
また、本発明に係る位置情報等提供装置（２）は、各移動体の情報を記憶する移動体情
報記憶手段と、ある移動体に対し、前記移動体情報記憶手段に記憶されている他移動体の
情報のうち、少なくとも前記他移動体の位置情報を送信する位置情報等送信手段とを備え
た位置情報等提供装置において、前記移動体情報記憶手段に記憶されている他移動体情報
に基づいて、該他移動体情報の送信重要度を求める送信重要度算出手段を備え、前記位置
情報等送信手段が、前記送信重要度算出手段により求められた送信重要度に基づいて、前
記送信の差別化を図るものであることを特徴としている。
【００４１】
上記位置情報等提供装置（２）によれば、前記移動体情報記憶手段に記憶されている他
移動体情報に基づいて、該他移動体情報の送信重要度が求められ、該送信重要度に基づい
て、他移動体情報の送信の差別化が図られる。例えば、前記送信重要度の高いもの（又は
送信の必要の有るもの）については、前記移動体に対して送信し、他方、前記送信重要度
の低いもの（又は送信の必要の無いもの）については、前記移動体に対して送信しないよ
うにできる。これにより、通信データ量の低減を図ることができる。
【００４２】
また、前記他移動体情報の受信側である前記移動体についても、重要度の高いものだけ
を受信するので、前記移動体で表示される地図が前記他移動体の位置を示したマークで埋
め尽くされないようにすることができ、前記他移動体の位置の確認が難しくなったり、地
図それ自体が見えにくくなるのを防止することができる。また、前記自移動体の乗員へ知
らせるべきもの（例えば、仲間の運転する車両の位置）だけを地図上に表示することがで
きるので、前記乗員は必要なものだけを確実に確認することができる。
【００４３】
また、前記送信重要度のレベルを複数（例えば、３段階）に分けて、最も重要度の高い
レベルのものについては、重要度が最も高いレベルであることを示す情報を付して送信し
、２番目に重要度の高いレベルのものについては、重要度が２番目に高いレベルであるこ
とを示す情報を付して送信し、最も重要度の低いレベルのものについては、重要度が最も
低いレベルであることを示す情報を付して送信する（又は送信しない）ようにしても良い
。これにより、前記他移動体情報の受信側である前記移動体では、重要度に応じた告知を
行うことが可能となる。
【００４４】
また、本発明に係る位置情報等提供装置（３）は、上記位置情報等提供装置（２）にお
いて、情報の送信対象である移動体の情報と前記他移動体情報とに基づいて、送信対象移
動体と前記他移動体との関連性を求める関連性算出手段を備え、前記位置情報等送信手段
が、前記関連性算出手段により求められる前記送信対象移動体と前記他移動体との関連性
に基づいて、前記送信重要度を求めるものであることを特徴としている。
【００４５】
上記位置情報等提供装置（３）によれば、前記送信対象移動体と前記他移動体との関連
性が求められ、この関連性（例えば、前記送信対象移動体の運転者から見て、前記他移動
体が仲間の運転する車両であるか否かといったこと）に基づいて、前記送信重要度が求め
られる。従って、前記送信の差別化を前記関連性に基づいて行うことができるので、例え
ば、仲間の運転する移動体の情報だけを送信するようにできる。
【００４６】
また、本発明に係る位置情報等提供装置（４）は、上記位置情報等提供装置（３）にお
いて、前記移動体情報記憶手段には、各移動体に設定されているキーワード情報が記憶さ
れており、前記関連性算出手段が、前記送信対象移動体に設定されているキーワード情報
と、前記他移動体に設定されているキーワード情報とに基づいて、前記送信対象移動体と
前記他移動体との関連性を求めるものであることを特徴としている。
【００４７】
上記位置情報等提供装置（４）によれば、前記送信対象移動体に設定されているキーワ
ード情報と、前記他移動体に設定されているキーワード情報とに基づいて、前記送信対象
移動体と前記他移動体との関連性が求められ、この関連性に基づいて、前記送信重要度が
求められる。
【００４８】
例えば、前記他移動体に設定されているキーワードと、前記送信対象移動体に設定され
ているキーワードとが一致する場合、前記送信重要度は高い（又は送信の必要性有り）と
判定されて、前記他移動体情報は前記送信対象移動体へ送信され、他方、前記他移動体に
設定されているキーワードと、前記送信対象移動体に設定されているキーワードとが一致
しない場合、前記送信重要度は低い（又は送信の必要性無し）と判定されて、前記他移動
体情報は前記送信対象移動体へ送信されないこととなる。これにより、前記送信対象移動
体と同じキーワードが設定されている他移動体（すなわち、前記送信対象移動体との関連
性が深い他移動体）の情報だけを送信するようにできる。
【００４９】
また、各移動体に複数のキーワードが設定されていて、前記他移動体に設定されている
キーワードが、前記送信対象移動体に設定されているキーワードと２つ以上一致する場合
、前記送信重要度は最も高いレベルと判定されて、前記他移動体情報は重要度が最も高い
レベルであることを示す情報が付されて送信され、前記他移動体に設定されているキーワ
ードが、前記送信対象移動体に設定されているキーワードと１つだけ一致する場合、前記
送信重要度は２番目に高いレベルと判定されて、前記他移動体情報は重要度が２番目に高
いレベルであることを示す情報が付されて送信され、前記他移動体に設定されているキー
ワードが、前記送信対象移動体に設定されているキーワードと１つも一致しない場合、前
記送信重要度は最も低いレベルと判定されて、前記他移動体情報は重要度が最も低いレベ
ルであることを示す情報が付されて送信される（又は送信されない）こととなる。
【００５０】
また、本発明に係る位置情報等提供装置（５）は、上記位置情報等提供装置（３）にお
いて、前記移動体情報記憶手段には、各移動体の属するグループ情報が記憶されており、
前記関連性算出手段が、前記送信対象移動体の属するグループ情報と、前記他移動体の属
するグループ情報とに基づいて、前記送信対象移動体と前記他移動体との関連性を求める
ものであることを特徴としている。
【００５１】
上記位置情報等提供装置（５）によれば、前記送信対象移動体の属するグループ情報と
、前記他移動体の属するグループ情報とに基づいて、前記送信対象移動体と前記他移動体
との関連性が求められ、この関連性に基づいて、前記送信重要度が求められる。
【００５２】
例えば、前記他移動体の属するグループと、前記送信対象移動体の属するグループとが
一致する場合、前記送信重要度は高い（又は送信の必要性有り）と判定されて、前記他移
動体情報は前記送信対象移動体へ送信され、他方、前記他移動体の属するグループと、前
記送信対象移動体の属するグループとが一致しない場合、前記送信重要度は低い（又は送
信の必要性無し）と判定されて、前記他移動体情報は前記送信対象移動体へ送信されない
こととなる。これにより、前記送信対象移動体と同じグループに属する他移動体（すなわ
ち、前記送信対象移動体との関連性が深い他移動体）の情報だけを送信するようにできる
。
【００５３】
また、各移動体に複数のグループに属していて、前記他移動体の属するグループが、前
記送信対象移動体の属するグループと２つ以上一致する場合、前記送信重要度は最も高い
レベルと判定されて、前記他移動体情報は重要度が最も高いレベルであることを示す情報
が付されて送信され、前記他移動体の属するグループが、前記送信対象移動体の属するグ
ループと１つだけ一致する場合、前記送信重要度は２番目に高いレベルと判定されて、前
記他移動体情報は重要度が２番目に高いレベルであることを示す情報が付されて送信され
、前記他移動体の属するグループが、前記送信対象移動体の属するグループと１つも一致
しない場合、前記送信重要度は最も低いレベルと判定されて、前記他移動体情報は重要度
が最も低いレベルであることを示す情報が付されて送信される（又は送信されない）こと
となる。
【００５４】
また、本発明に係る位置情報等提供装置（６）は、上記位置情報等提供装置（２）にお
いて、前記他移動体の位置情報と、所定の地点の位置情報とに基づいて、前記他移動体の
位置と前記所定の地点との位置的関係を求める位置的関係算出手段を備え、前記送信重要
度算出手段が、前記位置的関係算出手段により求められる前記他移動体の位置と前記所定
の地点との位置的関係に基づいて、前記送信重要度を求めるものであることを特徴として
いる。
【００５５】
上記位置情報等提供装置（６）によれば、前記他移動体の位置と前記所定の地点（例え
ば、前記送信対象移動体の位置や、該送信対象移動体の目的地）との位置的関係（例えば
、前記送信対象移動体との距離が短いか否かといったこと）が求められ、この位置的関係
に基づいて、前記送信重要度が求められる。従って、前記送信の差別化を前記位置的関係
に基づいて行うことができるので、例えば、前記送信対象移動体の近くを走行中の他移動
体の情報だけを送信するようにできる。
【００５６】
また、本発明に係る位置情報等提供装置（７）は、上記位置情報等提供装置（２）にお
いて、前記移動体情報記憶手段には、各移動体の位置情報における更新時刻に関する情報
が記憶されており、前記送信重要度算出手段が、前記他移動体情報に含まれている前記更
新時刻に関する情報に基づいて、前記送信重要度を求めるものであることを特徴としてい
る。
【００５７】
上記位置情報等提供装置（７）によれば、前記他移動体の位置情報における更新時刻に
関する情報に基づいて、前記送信重要度が求められる。従って、前記送信の差別化を前記
他移動体の位置情報における更新時刻に関する情報に基づいて行うことができる。
【００５８】
例えば、他移動体ａの最新の位置情報における更新時刻が10時51分で、他移動体ｂの最
新の位置情報における更新時刻が10時38分で、現在時刻が10時55分である場合、他移動体
ａの最新の位置情報は４分前の情報なので、前記送信重要度は高い（又は送信の必要性有
り）と判定されて、他移動体ａの情報は前記送信対象移動体へ送信され、他方、他移動体
ｂの最新の位置情報は１７分前の情報なので、前記送信重要度は低い（又は送信の必要性
無し）と判定されて、他移動体ｂの情報は前記送信対象移動体へ送信されないこととなる
。これにより、現在位置と大きなズレが生じている可能性の高い他移動体の情報を前記送
信対象移動体へ送信しないようにできる。
【００５９】
また、本発明に係る位置情報等提供装置（８）は、上記位置情報等提供装置（２）〜（
７）のいずれかにおいて、前記送信対象移動体に対し、所定の位置周辺の地図情報を送信
する地図情報送信手段を備えていることを特徴としている。
【００６０】
上記位置情報等提供装置（８）によれば、前記送信対象移動体に対し、前記他移動体の
位置情報だけでなく、前記所定の位置（例えば、前記送信対象移動体の位置）周辺の地図
情報が送信される。従って、前記送信対象移動体に地図情報が記憶された記憶装置などが
搭載されていなくても、前記送信対象移動体で前記他移動体の位置が示された前記所定の
位置周辺の地図を表示することによって、前記他移動体の位置を告知することが可能とな
る。
【００６１】
また、本発明に係る位置情報等提供装置（９）は、上記位置情報等提供装置（８）にお
いて、前記所定の位置が、前記送信対象移動体の位置、該送信対象移動体の目的地、及び
前記他移動体の位置のいずれかであることを特徴としている。
【００６２】
上記位置情報等提供装置（９）によれば、前記所定の位置が、前記送信対象移動体の位
置、前記送信対象移動体の目的地、及び前記他移動体の位置のいずれかであるので、前記
他移動体情報の受信側である前記送信対象移動体で、前記他移動体の位置が示された前記
送信対象移動体の位置周辺の地図、前記送信対象移動体の目的地周辺の地図、及び前記他
移動体の位置周辺の地図のいずれかを表示することが可能となる。これにより、前記送信
対象移動体や前記目的地近くに存在する前記他移動体を把握したり、該他移動体の存在す
る周辺の地理状況を把握することができる。
【発明を実施するための最良の形態】
【００６３】
以下、本発明に係る端末装置、及び位置情報等提供装置の実施の形態を図面に基づいて
説明する。図１は、実施の形態（１）に係る端末装置、及び位置情報等提供装置を含んで
構成される情報提供システムの要部を概略的に示したブロック図である。
【００６４】
図中１は車両に搭載される端末装置を示しており、端末装置１はＣＰＵ、ＲＡＭ、及び
ＲＯＭを有したマイコン２と、ＧＰＳ衛星から自車両Ｍの位置情報を受信するためのＧＰ
Ｓ受信手段３と、入力手段４と、表示パネル５ａを有した表示手段５と、自車両Ｍに設定
されているＩＤコードが記憶されたＥＥＰＲＯＭ６と、外部との間で情報のやり取りを行
うための移動体通信手段７（例えば、携帯電話）とを含んで構成されている。
【００６５】
マイコン２はＧＰＳ受信手段３で受信される自車両Ｍの位置情報を取得し、取得した位
置情報や、該位置情報を受信した時刻に関する情報をＲＡＭへ記憶させたり、前記位置情
報や、該位置情報を受信した時刻に関する情報（すなわち、自車両Ｍの位置情報における
更新時刻に関する情報）を、ＥＥＰＲＯＭ６に記憶されているＩＤコードに付し、移動体
通信手段７を介して、後述する管理機関（位置情報等提供装置１１）へ送信することがで
きるようになっている。
【００６６】
また、管理機関に対して所望の情報の送信を要求し、前記管理機関から送信されてくる
情報（例えば、他車両Ｐの情報や、地図情報）を受信し、受信した情報をＲＡＭへ記憶さ
せたり、また受信した情報に基づいて、他車両Ｐの位置を示した地図を表示パネル５ａへ
表示することができるようになっている。
【００６７】
また、入力手段４から出力される信号はマイコン２へ入力され、前記信号に応じた処理
がマイコン２で行われるようになっている。また、表示パネル５ａの上下左右には複数の
赤外線ＬＥＤと複数のフォトトランジスタ（図示せず）とが対向して配置され、指が表示
パネル５ａに触れた位置を検出することができるように構成され、検出された結果につい
てはマイコン２で取得することができるようになっている。
【００６８】
図中１１は各車両の位置情報等を管理するための管理機関に設置される位置情報等提供
装置を示しており、位置情報等提供装置１１はＣＰＵ、ＲＡＭ、及びＲＯＭを有したマイ
コン１２と、地図情報が記憶された地図情報記憶手段１３と、各車両の情報（以降、車両
情報とも記す）を各車両毎に設定されているＩＤコードに対応付けて記憶するためのデー
タベース１４と、外部との間で情報のやり取りを行うための通信手段１５とを含んで構成
されている。図２は、データベース１４に記憶される車両情報の記憶フォーマットを示し
た図である。
【００６９】
図２に示したように、データベース１４にはＩＤコードに対応付けて、該ＩＤコードが
設定されている車両の位置、更新時刻（前記車両が前記位置に存在したときの時刻）、前
記車両の目的地、及び前記車両に設定されているキーコード（１）〜（３）に関する情報
が記憶され、例えば、ＩＤコード「００１」に対応付けて、位置（ｘ1，ｙ1）、更新時刻「9:50」、目的地「××野球場」、キーコード（１）「神戸」、キーコード（２）「草野球チーム○○」、キーコード（３）「△△高校出身」に関する情報が記憶されている。
【００７０】
マイコン１２は各車両（端末装置１）から送信されてくる車両情報を受信すると、受信
した車両情報をＩＤコードに対応付けてデータベース１４へ記憶させるようになっている
。また、マイコン１２は各車両（端末装置１）から車両情報の送信要求があると、該送信
要求に応じて車両情報を前記車両へ送信することができるようになっている。また、端末
装置１では、表示パネル５ａ上に表示された画面を通じて、使用者（車両の運転者など）
が各種設定（例えば、目的地や、キーコードの設定）を行うことができるようになってい
る。
【００７１】
次に、実施の形態（１）に係る端末装置１におけるマイコン２の処理動作を図３Ａ、図
３Ｂに示したフローチャートに基づいて説明する。まず、使用者により表示パネル５ａ上
に表示された画面を通じて設定された目的地やキーコードに関する情報をマイコン２内の
メモリｍ１へ記憶させ（ステップＳ１）、次にこれら情報にＥＥＰＲＯＭ６に記憶されて
いるＩＤコードを付した信号（図４参照）を、移動体通信手段７を介して管理機関に設置
されている位置情報等提供装置１１へ送信し（ステップＳ２）、その後、タイマｔ1、ｔ2を０にしてスタートさせる（ステップＳ３）。なお、後で詳しく説明するが、位置情報等提供装置１１は各車両に搭載されている端末装置１からこれら情報を受信すると、図２に示したように、ＩＤコードに対応付けてこれら情報をデータベース１４へ記憶させるようになっている。
【００７２】
次に、タイマｔ1が所定の期間ｔ1’以上であるか否かを判断し（ステップＳ４）、タイマｔ1が所定の期間ｔ1’以上であると判断すれば、次に、ＧＰＳ受信手段３から自車両Ｍの位置情報を受信し（ステップＳ５）、受信した位置情報と、該位置情報の受信時刻に関する情報とをマイコン２内のメモリｍ２へ記憶させ（ステップＳ６）、次に、これら情報にＥＥＰＲＯＭ６に記憶されているＩＤコードを付した信号（図５参照）を、移動体通信手段７を介して位置情報等提供装置１１へ送信し（ステップＳ７）、その後、タイマｔ1を０にして（ステップＳ８）、ステップＳ９へ進む。一方、タイマｔ1が所定の期間ｔ1’以上でないと判断すれば、ステップＳ５〜Ｓ８の動作を飛ばして、ステップＳ９へ進む。
【００７３】
なお、位置情報等提供装置１１は目的地やキーワードに関する情報を受信した場合と同
様に、各車両に搭載されている端末装置１から位置情報や受信時刻情報を受信すると、図
２に示したように、ＩＤコードに対応付けてこれら情報をデータベース１４へ記憶させる
ようになっている。
【００７４】
次に、タイマｔ2が所定の期間ｔ2’以上であるか否かを判断し（ステップＳ９）、タイマｔ2が所定の期間ｔ2’以上であると判断すれば、次に、位置情報等提供装置１１に対し、移動体通信手段７を介して他車両Ｐの情報、及び自車両Ｍの位置周辺の地図情報の送信を要求する（ステップＳ１０）。例えば、情報送信要求コードにＥＥＰＲＯＭ６に記憶されているＩＤコードを付した信号（図６参照）を送信する。
【００７５】
後で詳しく説明するが、位置情報等提供装置１１は図６に示したような信号を受信する
と、他車両Ｐの情報と、情報送信要求コードを送信してきた車両の位置周辺の地図情報と
を端末装置１へ送信するようになっている。例えば、他車両情報の送信を要求している車
両（端末装置１）に設定されているＩＤコードが「００１」である場合、データベース１
４に記憶されている情報のうち、ＩＤコード「００２」、「００３」、…に対応付けて記
憶されている車両情報が端末装置１へ送信されることとなる。
【００７６】
次に、位置情報等提供装置１１から送信されてきた他車両Ｐの情報と地図情報とを受信
すると（ステップＳ１１）、受信した他車両Ｐの情報をＩＤコードに対応付けてマイコン
２内のメモリｍ３へ記憶させると共に、（ステップＳ１２）、受信した自車両Ｍの位置周
辺の地図情報をマイコン２内のメモリｍ４へ記憶させる（ステップＳ１３）。図７に、他
車両Ｐの情報をメモリｍ３へ記憶させた状態の一例を示す。
【００７７】
次に、メモリｍ２に記憶されている自車両Ｍの位置情報と、メモリｍ４に記憶されてい
る自車両Ｍの位置周辺の地図情報とに基づいて、図８に示したように、自車両Ｍの位置を
示した地図を表示パネル５ａへ表示し（ステップＳ１４）、その後、カウンタｎを１にし
て（ステップＳ１５）、メモリｍ３において第ｎ番目に記憶されている他車両Ｐｎの位置
情報が新しいか否か、すなわち他車両Ｐｎの位置情報における更新時刻から所定の時間（
例えば、１０分）以内であるか否かを判断する（ステップＳ１６）。
【００７８】
他車両Ｐｎの位置情報が新しいと判断すれば、次に、メモリｍ２に記憶されている自車
両Ｍの位置情報と、メモリｍ３に記憶されている他車両Ｐｎの位置情報とに基づいて、自
車両Ｍと他車両Ｐｎとの距離Ｓを求め（ステップＳ１７）、求めた距離Ｓが所定の距離Ｓ
’以下であるか否かを判断する（ステップＳ１８）。
【００７９】
距離Ｓが所定の距離Ｓ’以下であると判断すれば、次に、メモリｍ１に記憶されている
自車両Ｍに設定されているキーコード情報と、メモリｍ３に記憶されている他車両Ｐｎに
設定されているキーコード情報とに基づいて、これらキーコードの照合を行い、一致する
キーコードが２つ以上存在するか否かを判断する（ステップＳ１９）。
【００８０】
一致するキーコードが２つ以上存在すると判断すれば、次に、他車両Ｐｎの位置情報に
基づいて、他車両Ｐｎの位置が表示パネル５ａに表示されている地図上の表示可能な範囲
内であるか否かを判断し（ステップＳ２０）、表示可能な範囲内であると判断すれば、例
えば、図９に示したように、他車両Ｐ１、Ｐ２の位置を地図上に赤色で表示し（ステップ
Ｓ２１）、その後、ステップＳ２７へ進む。一方、表示可能な範囲内でないと判断すれば
、例えば、図９に示したように、他車両Ｐ３の存在する方向を地図上に赤色で表示し（ス
テップＳ２２）、その後、ステップＳ２７へ進む。
【００８１】
また、ステップＳ１９において、一致するキーコードは２つ以上存在しないと判断すれ
ば、次に、一致するキーコードが１つ存在するか否かを判断し（ステップＳ２３）、一致
するキーコードが１つ存在すると判断すれば、次に、他車両Ｐｎの位置情報に基づいて、
他車両Ｐｎの位置が表示パネル５ａに表示されている地図上の表示可能な範囲内であるか
否かを判断し（ステップＳ２４）、表示可能な範囲内であると判断すれば、例えば、図９
に示したように、他車両Ｐ４の位置を地図上に黄色で表示し（ステップＳ２５）、その後
、ステップＳ２７へ進む。一方、表示可能な範囲内でないと判断すれば、例えば、図９に
示したように、他車両Ｐ５の存在する方向を地図上に黄色で表示し（ステップＳ２６）、
その後、ステップＳ２７へ進む。
【００８２】
また、ステップＳ１６において、他車両Ｐｎの位置情報を新しくないと判断したり、ス
テップＳ１８において、距離Ｓが所定の距離Ｓ’以下でないと判断したり、ステップＳ２
３において、一致するキーコードは存在しないと判断した場合は、他車両Ｐｎの位置の表
示重要度は低いと看做し、そのままステップＳ２７へ進む。
【００８３】
ステップＳ２７では、カウンタｎに１を加算し、次に、メモリｍ３に他車両Ｐｎの情報
が記憶されているか否かを判断し（ステップＳ２８）、メモリｍ３に他車両Ｐｎの情報が
記憶されていると判断すれば、ステップＳ１６へ戻る。一方、メモリｍ３に他車両Ｐｎの
情報が記憶されていないと判断すれば、タイマｔ2を０にして（ステップＳ２９）、その後、ステップＳ４（図３Ａ）へ戻る。
【００８４】
次に、実施の形態（１）に係る位置情報等提供装置１１におけるマイコン１２の行う処
理動作を図１０に示したフローチャートに基づいて説明する。まず、通信手段１５を介し
て、外部から送信されてくる信号を受信したか否かを判断し（ステップＳ３１）、外部か
らの信号を受信したと判断すれば、次に、受信した信号に車両（端末装置１）から送信さ
れてくる車両情報が含まれている否か、すなわち前記信号が図４、図５に示したような信
号であるか否かを判断する（ステップＳ３２）。一方、ステップＳ３１において、外部か
ら送信されてくる信号を受信していないと判断すれば、そのまま処理動作を終了する。
【００８５】
ステップＳ３２において、前記受信した信号に前記車両情報が含まれていると判断すれ
ば、図２に示したように、ＩＤコードに対応付けて、前記車両情報をデータベース１４へ
記憶させる（ステップＳ３３）。一方、前記受信した信号に前記車両情報が含まれていな
いと判断すれば、次に、前記受信した信号に車両（端末装置１）から送信されてくる情報
送信要求コードが含まれているか否か、すなわち前記信号が図６に示したような信号であ
るか否かを判断する（ステップＳ３４）。
【００８６】
前記受信した信号に情報送信要求コードが含まれている（すなわち、前記信号を送信し
てきた車両Ｔが他車両の情報の送信を要求している）と判断すれば、次に、前記受信した
信号に含まれるＩＤコードに基づいて、データベース１４から車両Ｔ以外の車両情報を読
み出し（ステップＳ３５）、次に、前記受信した信号に含まれているＩＤコードに基づい
て、車両Ｔの位置情報をデータベース１４から読み出し（ステップＳ３６）、読み出した
位置情報に基づいて、車両Ｔの位置周辺の地図情報を地図情報記憶手段１３から読み出し
（ステップＳ３７）、その後、ステップＳ３５で読み出した車両情報と、ステップＳ３７
で読み出した地図情報とを車両Ｔ（端末装置１）に対し、通信手段１５を介して送信する
（ステップＳ３８）。一方、ステップＳ３４において、前記受信した信号に前記情報送信
要求コードが含まれていないと判断すれば、そのまま処理動作を終了する。
【００８７】
次に、実施の形態（２）に係る端末装置、及び位置情報等提供装置について説明する。
但し、実施の形態（２）に係る端末装置、及び位置情報等提供装置を含んで構成される情
報提供システムは、マイコン２、１２、ＥＥＰＲＯＭ６、及びデータベース１４を除いて
、図１に示した情報提供システムと同様の構成であるため、マイコン、ＥＥＰＲＯＭ、及
びデータベースについては異なる符号を付し、その他の説明をここでは省略する。
【００８８】
図中１Ａは車両に搭載される端末装置を示しており、端末装置１ＡはＣＰＵ、ＲＡＭ、
及びＲＯＭを有したマイコン２Ａと、ＧＰＳ受信手段３と、入力手段４と、表示手段５と
、自車両Ｍに設定されているＩＤコード、及び自車両Ｍが属するグループのグループコー
ド（１）、（２）が記憶されたＥＥＰＲＯＭ６Ａと、移動体通信手段７とを含んで構成さ
れている。但し、自車両Ｍが一つのグループにしか所属していない場合、グループコード
（２）は「００」となる。
【００８９】
図中１１Ａは各車両の位置情報等を管理するための管理機関に設置される位置情報等提
供装置を示しており、位置情報等提供装置１１ＡはＣＰＵ、ＲＡＭ、及びＲＯＭを有した
マイコン１２Ａと、地図情報記憶手段１３と、各車両の情報を各車両毎に設定されている
ＩＤコードに対応付けて記憶するためのデータベース１４Ａと、通信手段１５とを含んで
構成されている。図１１は、データベース１４Ａに記憶される車両情報の記憶フォーマッ
トを示した図である。
【００９０】
図１１に示したように、データベース１４ＡにはＩＤコードに対応付けて、該ＩＤコー
ドが設定されている車両の位置、更新時刻（前記車両が前記位置に存在したときの時刻）
、前記車両の目的地、及び前記車両の属するグループのグループコード（１）、（２）に
関する情報が記憶され、例えば、ＩＤコード「００１」に対応付けて、位置（ｘ1，ｙ1）、更新時刻「9:50」、目的地「××野球場」、グループコード（１）「０１」、グルー
プコード（２）「０３」に関する情報が記憶されている。
【００９１】
次に、実施の形態（２）に係る端末装置１Ａにおけるマイコン２Ａの処理動作を図１２
Ａ〜図１２Ｃに示したフローチャートに基づいて説明する。まず、使用者により表示パネ
ル５ａ上に表示された画面を通じて設定された目的地に関する情報をマイコン２Ａ内のメ
モリｍ１へ記憶させ（ステップＳ４１）、次に目的地情報にＥＥＰＲＯＭ６に記憶されて
いるＩＤコードを付した信号（図１３参照）を、移動体通信手段７を介して管理機関に設
置されている位置情報等提供装置１１Ａへ送信し（ステップＳ４２）、その後、タイマｔ
1、ｔ2を０にしてスタートさせる（ステップＳ４３）。なお、後で詳しく説明するが、位置情報等提供装置１１Ａは各車両に搭載されている端末装置１Ａから目的地情報を受信すると、図１１に示したように、ＩＤコードに対応付けて目的地情報をデータベース１４Ａへ記憶させるようになっている。
【００９２】
次に、タイマｔ1が所定の期間ｔ1’以上であるか否かを判断し（ステップＳ４４）、タイマｔ1が所定の期間ｔ1’以上であると判断すれば、次に、ＧＰＳ受信手段３から自車両Ｍの位置情報を受信し（ステップＳ４５）、受信した位置情報と、該位置情報の受信時刻に関する情報とをマイコン２Ａ内のメモリｍ２へ記憶させ（ステップＳ４６）、次に、これら情報にＥＥＰＲＯＭ６Ａに記憶されているＩＤコードを付した信号（図１４参照）を、移動体通信手段７を介して位置情報等提供装置１１Ａへ送信し（ステップＳ４７）、その後、タイマｔ1を０にして（ステップＳ４８）、ステップＳ４９へ進む。一方、タイマｔ1が所定の期間ｔ1’以上でないと判断すれば、ステップＳ４５〜Ｓ４８の動作を飛ばして、ステップＳ４９へ進む。
【００９３】
なお、位置情報等提供装置１１Ａは目的地情報を受信した場合と同様に、各車両に搭載
されている端末装置１Ａから位置情報や受信時刻情報を受信すると、図１１に示したよう
に、ＩＤコードに対応付けてこれら情報をデータベース１４Ａへ記憶させるようになって
いる。
【００９４】
次に、タイマｔ2が所定の期間ｔ2’以上であるか否かを判断し（ステップＳ４９）、タイマｔ2が所定の期間ｔ2’以上であると判断すれば、次に、位置情報等提供装置１１Ａに対し、移動体通信手段７を介して他車両Ｐの情報、及び自車両Ｍの位置周辺の地図情報の送信を要求する（ステップＳ５０）。例えば、情報送信要求コードにＥＥＰＲＯＭ６Ａに記憶されているＩＤコードを付した信号（図１５参照）を送信する。
【００９５】
後で詳しく説明するが、位置情報等提供装置１１Ａは図１５に示したような信号を受信
すると、他車両Ｐの情報と、情報送信要求コードを送信してきた車両の位置周辺の地図情
報とを端末装置１Ａへ送信するようになっている。例えば、他車両情報の送信を要求して
いる車両（端末装置１Ａ）に設定されているＩＤコードが「００１」である場合、データ
ベース１４Ａに記憶されている情報のうち、ＩＤコード「００２」、「００３」、…に対
応付けて記憶されている車両情報が端末装置１Ａへ送信されることとなる。
【００９６】
次に、位置情報等提供装置１１Ａから送信されてきた他車両Ｐの情報と地図情報とを受
信すると（ステップＳ５１）、受信した他車両Ｐの情報をＩＤコードに対応付けてマイコ
ン２Ａ内のメモリｍ３へ記憶させると共に、（ステップＳ５２）、受信した自車両Ｍの位
置周辺の地図情報をマイコン２Ａ内のメモリｍ４へ記憶させる（ステップＳ５３）。図１
６に、他車両Ｐの情報をメモリｍ３へ記憶させた状態の一例を示す。
【００９７】
次に、メモリｍ２に記憶されている自車両Ｍの位置情報と、メモリｍ４に記憶されてい
る自車両Ｍの位置周辺の地図情報とに基づいて、図８に示したように、自車両Ｍの位置を
示した地図を表示パネル５ａへ表示し（ステップＳ５４）、その後、カウンタｎを１にし
（ステップＳ５５）、ＥＥＰＲＯＭ６Ａに記憶されているグループコード（１）、（２）
に基づいて、自車両Ｍが複数のグループに所属しているか否かを判断する（ステップＳ５
６）。
【００９８】
自車両Ｍが複数のグループには所属していない、すなわちグループコード（２）が「０
０」であると判断すれば、次に、メモリｍ３において第ｎ番目に記憶されている他車両Ｐ
ｎの位置情報が新しいか否か、すなわち他車両Ｐｎの位置情報における更新時刻から所定
の時間（例えば、１０分）以内であるか否かを判断する（ステップＳ５７）。
【００９９】
他車両Ｐｎの位置情報が新しいと判断すれば、次に、メモリｍ２に記憶されている自車
両Ｍの位置情報と、メモリｍ３に記憶されている他車両Ｐｎの位置情報とに基づいて、自
車両Ｍと他車両Ｐｎとの距離Ｓを求め（ステップＳ５８）、求めた距離Ｓが所定の距離Ｓ
’以下であるか否かを判断する（ステップＳ５９）。
【０１００】
距離Ｓが所定の距離Ｓ’以下であると判断すれば、次に、自車両Ｍの属するグループの
グループコード（１）に関する情報と、メモリｍ３に記憶されている他車両Ｐｎの属する
グループのグループコード（１）、（２）に関する情報とに基づいて、所属するグループ
が一致するか否かを判断する（ステップＳ６０）。
【０１０１】
所属するグループが一致すると判断すれば、次に、他車両Ｐｎの位置情報に基づいて、
他車両Ｐｎの位置が表示パネル５ａに表示されている地図上の表示可能な範囲内であるか
否かを判断し（ステップＳ６１）、表示可能な範囲内であると判断すれば、他車両Ｐｎの
位置を地図上に青色で表示し（ステップＳ６２）、その後、ステップＳ６４へ進む。一方
、表示可能な範囲内でないと判断すれば、他車両Ｐｎの存在する方向を地図上に青色で表
示し（ステップＳ６３）、その後、ステップＳ６４へ進む。
【０１０２】
また、ステップＳ５７において、他車両Ｐｎの位置情報を新しくないと判断したり、ス
テップＳ５９において、距離Ｓが所定の距離Ｓ’以下でないと判断したり、ステップＳ６
０において、所属するグループは一致しないと判断した場合は、他車両Ｐｎの位置の表示
重要度は低いと看做し、そのままステップＳ６４へ進む。
【０１０３】
ステップＳ６４では、カウンタｎに１を加算し、次に、メモリｍ３に他車両Ｐｎの情報
が記憶されているか否かを判断し（ステップＳ６５）、メモリｍ３に他車両Ｐｎの情報が
記憶されていると判断すれば、ステップＳ５７へ戻る。一方、メモリｍ３に他車両Ｐｎの
情報が記憶されていないと判断すれば、タイマｔ2を０にして（ステップＳ６６）、その後、ステップＳ４４（図１２Ａ）へ戻る。
【０１０４】
一方、ステップＳ５６において、自車両Ｍが複数のグループには所属している、すなわ
ちグループコード（２）が「００」でないと判断すれば、次に、メモリｍ３において第ｎ
番目に記憶されている他車両Ｐｎの位置情報が新しいか否か、すなわち他車両Ｐｎの位置
情報における更新時刻から所定の時間（例えば、１０分）以内であるか否かを判断する（
ステップＳ６７）。
【０１０５】
他車両Ｐｎの位置情報が新しいと判断すれば、次に、メモリｍ２に記憶されている自車
両Ｍの位置情報と、メモリｍ３に記憶されている他車両Ｐｎの位置情報とに基づいて、自
車両Ｍと他車両Ｐｎとの距離Ｓを求め（ステップＳ６８）、求めた距離Ｓが所定の距離Ｓ
’以下であるか否かを判断する（ステップＳ６９）。
【０１０６】
距離Ｓが所定の距離Ｓ’以下であると判断すれば、次に、自車両Ｍの属するグループの
グループコード（１）に関する情報と、メモリｍ３に記憶されている他車両Ｐｎの属する
グループのグループコード（１）、（２）に関する情報とに基づいて、所属するグループ
が一致するか否かを判断する（ステップＳ７０）。
【０１０７】
所属するグループが一致すると判断すれば、次に、自車両Ｍの属するグループのグルー
プコード（２）に関する情報と、メモリｍ３に記憶されている他車両Ｐｎの属するグルー
プのグループコード（１）、（２）に関する情報とに基づいて、所属するグループが２つ
共一致するか否かを判断する（ステップＳ７１）。
【０１０８】
所属するグループが２つ共一致すると判断すれば、次に、他車両Ｐｎの位置情報に基づ
いて、他車両Ｐｎの位置が表示パネル５ａに表示されている地図上の表示可能な範囲内で
あるか否かを判断し（ステップＳ７２）、表示可能な範囲内であると判断すれば、他車両
Ｐｎの位置を地図上に赤色で表示し（ステップＳ７３）、その後、ステップＳ８２へ進む
。一方、表示可能な範囲内でないと判断すれば、他車両Ｐｎの存在する方向を地図上に赤
色で表示し（ステップＳ７４）、その後、ステップＳ８２へ進む。
【０１０９】
また、ステップＳ７１において、所属するグループが一致するのは１つだけ、すなわち
グループコード（１）に対応するグループだけが一致すると判断すれば、次に、他車両Ｐ
ｎの位置情報に基づいて、他車両Ｐｎの位置が表示パネル５ａに表示されている地図上の
表示可能な範囲内であるか否かを判断し（ステップＳ７５）、表示可能な範囲内であると
判断すれば、他車両Ｐｎの位置を地図上に青色で表示し（ステップＳ７６）、その後、ス
テップＳ８２へ進む。一方、表示可能な範囲内でないと判断すれば、他車両Ｐｎの存在す
る方向を地図上に青色で表示し（ステップＳ７７）、その後、ステップＳ８２へ進む。
【０１１０】
また、ステップＳ７０において、他車両Ｐｎはグループコード（１）に対応するグルー
プに属していないと判断すれば、次に、自車両Ｍの属するグループのグループコード（２
）に関する情報と、メモリｍ３に記憶されている他車両Ｐｎの属するグループのグループ
コード（１）、（２）に関する情報とに基づいて、所属するグループが一致するか否かを
判断する（ステップＳ７８）。
【０１１１】
所属するグループが一致する、すなわちグループコード（２）に対応するグループだけ
が一致すると判断すれば、次に、他車両Ｐｎの位置情報に基づいて、他車両Ｐｎの位置が
表示パネル５ａに表示されている地図上の表示可能な範囲内であるか否かを判断し（ステ
ップＳ７９）、表示可能な範囲内であると判断すれば、他車両Ｐｎの位置を地図上に黄色
で表示し（ステップＳ８０）、その後、ステップＳ８２へ進む。一方、表示可能な範囲内
でないと判断すれば、他車両Ｐｎの存在する方向を地図上に黄色で表示し（ステップＳ８
１）、その後、ステップＳ８２へ進む。
【０１１２】
また、ステップＳ６７において、他車両Ｐｎの位置情報を新しくないと判断したり、ス
テップＳ６９において、距離Ｓが所定の距離Ｓ’以下でないと判断したり、ステップＳ７
８において、所属するグループは一致しないと判断した場合は、他車両Ｐｎの位置の表示
重要度は低いと看做し、そのままステップＳ８２へ進む。
【０１１３】
ステップＳ８２では、カウンタｎに１を加算し、次に、メモリｍ３に他車両Ｐｎの情報
が記憶されているか否かを判断し（ステップＳ８３）、メモリｍ３に他車両Ｐｎの情報が
記憶されていると判断すれば、ステップＳ６７へ戻る。一方、メモリｍ３に他車両Ｐｎの
情報が記憶されていないと判断すれば、タイマｔ2を０にして（ステップＳ８４）、その
後、ステップＳ４４（図１２Ａ）へ戻る。なお、実施の形態（２）に係る位置情報等提供
装置１１Ａにおけるマイコン１２Ａの処理動作については、図１０に示した位置情報等提
供装置１１におけるマイコン１２の処理動作と同様であるため、ここではその説明を省略
する。
【０１１４】
上記実施の形態（１）又は（２）に係る端末装置１、１Ａ、及び位置情報等提供装置１
１、１１Ａを含んで構成される情報提供システムによれば、他車両情報に基づいて、他車
両の位置の告知重要度が求められ、求められた該告知重要度に基づいて、前記他車両の位
置の告知の差別化が図られる。
【０１１５】
これにより、地図が他車両の位置を示したマークで埋め尽くされないようにすることが
できるので、他車両の位置の確認が難しくなったり、地図それ自体が見えにくくなるのを
防止することができる。また、自車両の乗員へ知らせるべきもの（例えば、仲間の運転す
る車両の位置）だけを地図上に表示することができるので、前記乗員は必要なものだけを
確実に確認することができる。
【０１１６】
上記実施の形態（１）又は（２）に係る端末装置では、自車両Ｍとの距離Ｓに基づいて
、他車両の告知重要度を判断しているが、別の実施の形態では、自車両Ｍの目的地との距
離に基づいて、他車両の告知重要度を判断するようにしても良い。また、上記実施の形態
では、自車両Ｍから大きく離れて告知重要度の低い他車両については、表示しないように
なっているが、別の実施の形態では非表示するのではなく、表示色を変えたり、トーンダ
ウンさせるようにしても良い。
【０１１７】
また、上記実施の形態（１）又は（２）に係る端末装置では、自車両Ｍの位置周辺の地
図を表示し、自車両Ｍの付近に存在する他車両を優先して告知するようにしているが、別
の実施の形態では、自車両Ｍの目的地周辺の地図を表示し、目的地の付近に存在する他車
両を優先して告知するようにしたり、ある特定の他車両の位置周辺の地図を表示し、前記
他車両の付近に存在する他車両を優先して告知するようにしても良い。
【０１１８】
なお、この場合には管理機関に設置される位置情報等提供装置１１、１１Ａから目的地
周辺の地図情報などを送信してもらう必要がある。但し、自車両Ｍに地図情報が記憶され
た地図情報記憶手段が搭載され、該地図情報記憶手段に記憶されている地図情報を端末装
置が利用可能になっていれば、管理機関から地図情報を送信してもらう必要はない。
【０１１９】
また、さらに別の実施の形態に係る端末装置では、他車両を地図上に表示するのではな
く、例えば、図１７（ａ）、（ｂ）に示したように、地図情報を用いず、位置情報に基づ
いて得られる他車両と自車両Ｍ及び／又は自車両Ｍの目的地との位置関係だけを表示パネ
ル５ａへ表示するようにしても良い。
【０１２０】
ところで、他車両の位置を精度良く告知するには、管理機関への情報送信要求頻度を高
くし、他車両の位置情報を頻繁に受信すれば良いが、これでは通量回数や通信データ量が
多くなってしまう。そこで、別の実施の形態に係る端末装置では、他車両の位置情報、及
び該位置情報における更新時刻に関する情報を蓄積していき、蓄積された位置情報、更新
時刻情報、及び目的地情報に基づいて、他車両の現時点における位置を推測し、その推測
した結果に基づいて他車両の告知を行うようにして、通信回数や通信データ量の低減を図
るようにしても良い。
【０１２１】
また、上記実施の形態（１）又は（２）に係る端末装置、及び位置情報等提供装置を含
んで構成される情報提供システムでは、端末装置側で他車両の告知制限を行う場合につい
てのみ説明しているが、別の実施の形態では、例えば、管理機関に設置される位置情報等
提供装置で、上記した端末装置１、１Ａと同様に、他車両の告知重要度（他車両情報の送
信重要度）を求め、その結果に基づいて、端末装置へ送信する車両情報を制限するように
しても良い。
【図面の簡単な説明】
【０１２２】
【図１】本発明の実施の形態（１）に係る端末装置、及び位置情報等提供装置を含んで構成される情報提供システムの要部を概略的に示したブロック図である。
【図２】実施の形態（１）に係る位置情報等提供装置におけるデータベースに記憶される車両情報の記憶フォーマットを示した図である。
【図３．Ａ】実施の形態（１）に係る端末装置におけるマイコンの行う処理動作を示したフローチャートである。
【図３．Ｂ】実施の形態（１）に係る端末装置におけるマイコンの行う処理動作を示したフローチャートである。
【図４】実施の形態（１）に係る端末装置から位置情報等提供装置へ送信される信号の一例を示した図である。
【図５】実施の形態（１）に係る端末装置から位置情報等提供装置へ送信される信号の一例を示した図である。
【図６】実施の形態（１）に係る端末装置から位置情報等提供装置へ送信される信号の一例を示した図である。
【図７】実施の形態（１）に係る端末装置におけるマイコン内のメモリに記憶される他車両情報の一例を示した図である。
【図８】実施の形態（１）に係る端末装置における表示パネルに表示される表示例を示した図である。
【図９】実施の形態（１）に係る端末装置における表示パネルに表示される表示例を示した図である。
【図１０】実施の形態（１）に係る位置情報等提供装置におけるマイコンの行う処理動作を示したフローチャートである。
【図１１】実施の形態（２）に係る位置情報等提供装置におけるデータベースに記憶される車両情報の記憶フォーマットを示した図である。
【図１２．Ａ】実施の形態（２）に係る端末装置におけるマイコンの行う処理動作を示したフローチャートである。
【図１２．Ｂ】実施の形態（２）に係る端末装置におけるマイコンの行う処理動作を示したフローチャートである。
【図１２．Ｃ】実施の形態（２）に係る端末装置におけるマイコンの行う処理動作を示したフローチャートである。
【図１３】実施の形態（２）に係る端末装置から位置情報等提供装置へ送信される信号の一例を示した図である。
【図１４】実施の形態（２）に係る端末装置から位置情報等提供装置へ送信される信号の一例を示した図である。
【図１５】実施の形態（２）に係る端末装置から位置情報等提供装置へ送信される信号の一例を示した図である。
【図１６】実施の形態（２）に係る端末装置におけるマイコン内のメモリに記憶される他車両情報の一例を示した図である。
【図１７】（ａ）、（ｂ）は別の実施の形態に係る端末装置における表示パネルに表示される表示例を示した図である。
【符号の説明】
【０１２３】
１、１Ａ  端末装置
２、２Ａ、１２、１２Ａ  マイコン
１１、１１Ａ  位置情報等提供装置
１４、１４Ａ  データベース
【図１】
2005147777.tif 000003
【図２】
2005147777.tif 000004
【図３．Ａ】
2005147777.tif 000005
【図３．Ｂ】
2005147777.tif 000006
【図４】
2005147777.tif 000007
【図５】
2005147777.tif 000008
【図６】
2005147777.tif 000009
【図７】
2005147777.tif 000010
【図８】
2005147777.tif 000011
【図９】
2005147777.tif 000012
【図１０】
2005147777.tif 000013
【図１１】
2005147777.tif 000014
【図１２．Ａ】
2005147777.tif 000015
【図１２．Ｂ】
2005147777.tif 000016
【図１２．Ｃ】
2005147777.tif 000017
【図１３】
2005147777.tif 000018
【図１４】
2005147777.tif 000019
【図１５】
2005147777.tif 000020
【図１６】
2005147777.tif 000021
【図１７】
2005147777.tif 000022